(57)【要約】【課題】異音を防止できる構造でありながら、製作コストを低廉化できるとともに、ゴムブッシュをスタビライザーバーに強く固定できて耐久性に優れたゴムブッシュ付きスタビライザーバーを製造できる方法を提供する。【解決手段】スタビライザーバー１の被嵌合部に熱硬化性接着剤を塗布し、加硫成形したゴムブッシュ３を被嵌合部に外嵌し、Ｕ字状の外周面４のうちの突曲面１２に第１押圧具１３の第１嵌合凹部１４を外嵌するとともに、扁平面５と、Ｕ字状の外周面４のうちの直線状の面１５とに第２押圧具１６の第２嵌合凹部１７を外嵌し、第１押圧具１３と第２押圧具１６でゴムブッシュ３を挟圧してゴムブッシュ３を圧縮するとともに、第１嵌合凹部１４と第２嵌合凹部１７でゴムブッシュ３のほぼ全面を覆った状態でゴムブッシュ３を加熱する。【選択図】        図６
2006118561.tif 000002
【特許請求の範囲】
【請求項１】
Ｕ字状の外周面と、前記Ｕ字状の外周面の両端に連続する直線状の扁平面とを備え、軸方向の両端部にフランジがそれぞれ形成された筒状のゴムブッシュを、スタビライザーバーの被嵌合部に外嵌固定するゴムブッシュ付きスタビライザーバーの製造方法であって、
前記スタビライザーバーの被嵌合部、及び／又は、加硫成形した前記ゴムブッシュの内周面に熱硬化性接着剤を塗布し、その後に前記ゴムブッシュを前記被嵌合部に外嵌し、前記Ｕ字状の外周面のうちの突曲面に第１押圧具の第１嵌合凹部を外嵌し、前記扁平面と、前記Ｕ字状の外周面のうちの直線状の面とに第２押圧具の第２嵌合凹部を外嵌し、前記第１押圧具と第２押圧具で前記ゴムブッシュを挟圧して前記ゴムブッシュを圧縮するとともに、前記第１嵌合凹部と第２嵌合凹部で前記ゴムブッシュのほぼ全面を覆った状態で前記ゴムブッシュを加熱し、前記第１押圧具と第２押圧具を取外してゴムブッシュ付きスタビライザーバーを得るようにし、
前記第１嵌合凹部と第２嵌合凹部で前記ゴムブッシュのほぼ全面を覆った状態にする手段として、前記ゴムブッシュの軸方向の両端部に形成されたフランジを、前記第１嵌合凹部と第２嵌合凹部に一対づつ形成したフランジ受けに収容し、前記ゴムブッシュの軸方向の一端面を、前記第１押圧具に形成した一対の第１側壁のうちの一方の第１側壁と、前記第２押圧具に形成した一対の第２側壁のうちの一方の第２側壁とで覆い、前記ゴムブッシュの軸方向の他端面を、前記一対の第１側壁のうちの他方の第１側壁と、前記一対の第２側壁のうちの他方の第２側壁とで覆うゴムブッシュ付きスタビライザーバーの製造方法。
【請求項２】
前記熱硬化性接着剤を塗布する工程の前に前記スタビライザーバーの外周面を塗装しておき、前記熱硬化性接着剤を前記被嵌合部の塗装膜面に塗布する請求項１記載のゴムブッシュ付きスタビライザーバーの製造方法。
【請求項３】
外周面が前記突曲面から成り、かつ、前記ゴムブッシュの両フランジ間に位置する前記ゴムブッシュの突曲部が、目標とする製品寸法よりも径方向外方側に設定量膨出した状態になるように前記ゴムブッシュを加硫成形する請求項１又は２記載のゴムブッシュ付きスタビライザーバーの製造方法。
【請求項４】
外周面が前記突曲面から成り、かつ、前記ゴムブッシュの両フランジ間に位置する前記ゴムブッシュの突曲部を周方向に複数の突曲部分に区分けし、前記周方向で中央に位置する突曲部分が、目標とする製品寸法よりも径方向外方側に設定量膨出した状態になるように前記ゴムブッシュを加硫成形する請求項１又は２記載のゴムブッシュ付きスタビライザーバーの製造方法。
【請求項５】
外周面が前記突曲面から成り、かつ、前記ゴムブッシュの両フランジ間に位置する前記ゴムブッシュの突曲部を周方向に複数の突曲部分に区分けし、前記周方向で中央に位置する突曲部分以外の各突曲部分が、目標とする製品寸法よりも径方向外方側に設定量膨出した状態になるように前記ゴムブッシュを加硫成形する請求項１又は２記載のゴムブッシュ付きスタビライザーバーの製造方法。
【請求項６】
前記ゴムブッシュの中空孔を挟んで前記突曲部とは反対側のゴムブッシュ部分に金属製又は樹脂製のインサート材が埋設され、前記中空孔側を向く前記インサート材の面が、前記中空孔の周方向に沿う円弧状の曲面になるように前記ゴムブッシュを加硫成形する請求項３，４，５のいずれか一つに記載のゴムブッシュ付きスタビライザーバーの製造方法。
【請求項７】
前記中空孔とは反対側を向く前記インサート材の面が露出するように前記ゴムブッシュを加硫成形する請求項６記載のゴムブッシュ付きスタビライザーバーの製造方法。
【請求項８】
前記ゴムブッシュの幅方向に沿う方向のインサート材の長さが前記中空孔の径よりも長くなるように前記ゴムブッシュを加硫成形する請求項６又は７記載のゴムブッシュ付きスタビライザーバーの製造方法。
【発明の詳細な説明】
【技術分野】
【０００１】
本発明は、Ｕ字状の外周面と、前記Ｕ字状の外周面の両端に連続する直線状の扁平面とを備え、軸方向の両端部にフランジがそれぞれ形成された筒状のゴムブッシュを、スタビライザーバーの被嵌合部に外嵌固定するゴムブッシュ付きスタビライザーバーの製造方法に関する。
【背景技術】
【０００２】
従来、この種のゴムブッシュ付きスタビライザーバーではスタビライザーバーをゴムブッシュに挿通させただけの構造になっていた。そして、Ｕ字状のゴムブッシュ受けを備えたクランプでゴムブッシュを車体側に押圧固定して、ゴムブッシュの扁平面を車体の取付け面に圧接させてあった。
【０００３】
しかしながら上記の構造によれば、スタビライザーバーをゴムブッシュに挿通させただけの構造であったために、ゴムブッシュとスタビライザーバーとの間に水が浸入したときや気温が非常に低温になったときに、ゴムブッシュがスタビライザーバーに対してスリップして異音が発生するという問題があった。
【０００４】
この問題を解消するために、ゴムブッシュをスタビライザーバーに加硫接着する第１の技術や、特許文献１に開示されているように、加硫成形したゴムブッシュをスタビライザーバーに接着剤によって常温で固着する第２の技術がある。両技術ではゴムブッシュをスタビライザーバーに外嵌固着することで、両者のすべりを抑えて異音の発生を防止しようとしている。
【特許文献１】特開平１１−１０８０９６号公報
【発明の開示】
【発明が解決しようとする課題】
【０００５】
上記の第１の技術によれば、異音の発生を防止できるものの、スタビライザーバーが長尺であるために加硫接着の生産設備が大型化し、設備コストが高くなるとともに、生産性を高めることが困難で製作コストが高くなる。そして第２技術では、高温雰囲気で接着剤の接着力が低下してゴムブッシュの内周面がスタビライザーバーの外周面から分離してしまうおそれがある。
【０００６】
本発明の目的は、異音を防止できる構造でありながら、製作コストを低廉化できるとともに、ゴムブッシュをスタビライザーバーに強く固定できて耐久性に優れたゴムブッシュ付きスタビライザーバーを製造できる方法を提供する点にある。
【課題を解決するための手段】
【０００７】
本発明の特徴は、
Ｕ字状の外周面と、前記Ｕ字状の外周面の両端に連続する直線状の扁平面とを備え、軸方向の両端部にフランジがそれぞれ形成された筒状のゴムブッシュを、スタビライザーバーの被嵌合部に外嵌固定するゴムブッシュ付きスタビライザーバーの製造方法であって、
前記スタビライザーバーの被嵌合部、及び／又は、加硫成形した前記ゴムブッシュの内周面に熱硬化性接着剤を塗布し、その後に前記ゴムブッシュを前記被嵌合部に外嵌し、前記Ｕ字状の外周面のうちの突曲面に第１押圧具の第１嵌合凹部を外嵌し、前記扁平面と、前記Ｕ字状の外周面のうちの直線状の面とに第２押圧具の第２嵌合凹部を外嵌し、前記第１押圧具と第２押圧具で前記ゴムブッシュを挟圧して前記ゴムブッシュを圧縮するとともに、前記第１嵌合凹部と第２嵌合凹部で前記ゴムブッシュのほぼ全面を覆った状態で前記ゴムブッシュを加熱し、前記第１押圧具と第２押圧具を取外してゴムブッシュ付きスタビライザーバーを得るようにし、
前記第１嵌合凹部と第２嵌合凹部で前記ゴムブッシュのほぼ全面を覆った状態にする手段として、前記ゴムブッシュの軸方向の両端部に形成されたフランジを、前記第１嵌合凹部と第２嵌合凹部に一対づつ形成したフランジ受けに収容し、前記ゴムブッシュの軸方向の一端面を、前記第１押圧具に形成した一対の第１側壁のうちの一方の第１側壁と、前記第２押圧具に形成した一対の第２側壁のうちの一方の第２側壁とで覆い、前記ゴムブッシュの軸方向の他端面を、前記一対の第１側壁のうちの他方の第１側壁と、前記一対の第２側壁のうちの他方の第２側壁とで覆う点にある。
【０００８】
この手段によれば、第１押圧具と第２押圧具でゴムブッシュを挟圧してゴムブッシュを圧縮した状態でゴムブッシュを加熱することで、熱硬化性の接着剤が硬化してゴムブッシュがスタビライザーバーに強く固着する。接着剤は熱硬化性であるから高温雰囲気で接着力が低下することはない。その結果、ゴムブッシュがスタビライザーバーに対してスリップすることがなくなって異音の発生を防止することができる。また、ゴムブッシュをスタビライザーバーとは別個にして単独で加硫成形するから、加硫成形のための生産設備が大型化することがなく、生産性を上げることができて、製作コストを低廉化することができる。さらに、前記Ｕ字状の外周面のうちの突曲面に第１押圧具の第１嵌合凹部を外嵌するとともに、前記扁平面と、前記Ｕ字状の外周面のうちの直線状の面とに第２押圧具の第２嵌合凹部を外嵌し、第１押圧具と第２押圧具でゴムブッシュを挟圧することで、ゴムブッシュに所望の圧縮力を伝えることができる。
【０００９】
第１押圧具と第２押圧具でゴムブッシュを挟圧してゴムブッシュを圧縮するとともに、第１嵌合凹部と第２嵌合凹部でゴムブッシュのほぼ全面を覆った状態で前記ゴムブッシュを加熱することで、第１押圧具と第２押圧具でゴムブッシュを挟圧したときに、ゴムブッシュに所望の圧縮力をより確実に伝えやすくすることができる。そして、前記第１嵌合凹部と第２嵌合凹部で前記ゴムブッシュのほぼ全面を覆った状態にする手段として、ゴムブッシュの軸方向の両端部に形成されたフランジを、第１嵌合凹部と第２嵌合凹部に一対づつ形成したフランジ受けに収容し、ゴムブッシュの軸方向の一端面を、第１押圧具に形成した一対の第１側壁のうちの一方の第１側壁と、第２押圧具に形成した一対の第２側壁のうちの一方の第２側壁とで覆い、ゴムブッシュの軸方向の他端面を、一対の第１側壁のうちの他方の第１側壁と、一対の第２側壁のうちの他方の第２側壁とで覆うから、次の（Ａ１）の（ａ）〜（ｄ）の作用を奏することができる。
【００１０】
（Ａ１）例えばゴムブッシュのフランジやゴムブッシュの軸方向の両端面を露出した状態で第１押圧具と第２押圧具でゴムブッシュを挟圧すると、両フランジの径方向内方側に位置するゴムブッシュの内周面部分が、スタビライザーバーの被嵌合部の外周面から浮き上がりやすい。そのために、前記内周面部分と外周面とを強く密着させることが困難で、前記内周面部分と外周面の接着力が弱くなる。これに対して本発明によれば、上記のように構成したことで、
（ａ）  ゴムブッシュの軸方向の両端側の両フランジに、第１押圧具のフランジ受けと第２押圧具のフランジ受けから挟圧力を加えることができる。
（ｂ）  挟圧の際に、両フランジの径方向内方側に位置するゴムブッシュの内周面部分が、スタビライザーバーの被嵌合部の外周面から浮き上がるのを、第１押圧具の一対の第１側壁と、第２押圧具の一対の第２側壁とで阻止することができる。
（ｃ）  上記の（ａ），（ｂ）により、前記内周面部分と外周面とを強く密着させることができる。その結果、前記内周面部分と外周面との接着力を強くすることができて、ゴムブッシュをスタビライザーバーに、より強く接着することができる。
（ｄ）  挟圧によって、ゴムブッシュが軸方向に伸びるのを、第１押圧具の一対の第１側壁と、第２押圧具の一対の第２側壁とで阻止することができ、ゴムブッシュを所望の形状に形成しやすい。
【００１１】
本発明において、前記熱硬化性接着剤を塗布する工程の前に前記スタビライザーバーの外周面を塗装しておき、前記熱硬化性接着剤を前記被嵌合部の塗装膜面に塗布するようにすることができる。この手段によれば、スタビライザーバーの被嵌合部の塗装膜面に熱硬化性接着剤を塗布するから、被嵌合部の塗装膜面を接着剤の塗布のためにいちいち剥がさなくても済む。
【００１２】
本発明において、外周面が前記突曲面から成り、かつ、前記ゴムブッシュの両フランジ間に位置する前記ゴムブッシュの突曲部が、目標とする製品寸法よりも径方向外方側に設定量膨出した状態になるように前記ゴムブッシュを加硫成形すると、次の（Ａ２）の作用を奏することができる。
【００１３】
（Ａ２）  第１押圧具と第２押圧具でゴムブッシュを挟圧して加熱したときに、突曲部に、熱によるへたりが生じると、ゴムブッシュに対する第１押圧具と第２押圧具の挟圧力が弱くなってゴムブッシュとスタビライザーバーの接着力が弱くなるおそれがある。そして、製品完成後にクランプでゴムブッシュを車体側に押圧固定したときに、ゴムブッシュの扁平面を車体の取付け面に所望の力で圧接させるのが困難になって、車体に対する固定状態が不安定になる。これに対して本発明の上記構成によれば、ゴムブッシュの突曲部が、目標とする製品寸法よりも径方向外方側に設定量膨出しているから、第１押圧具と第２押圧具とによりゴムブッシュに圧縮力を確実に伝えることができて、ゴムブッシュとスタビライザーバーの接着力が弱くなる不具合を回避できる。そして突曲部に、熱によるへたりが生じても突曲部を製品寸法通りに形成しやすくすることができる。その結果、製品完成後にクランプでゴムブッシュを車体側に押圧固定したときに、ゴムブッシュの扁平面を車体の取付け面に所望の力で圧接させることができて車体に対する固定状態を安定化できる。ゴムブッシュの幅方向（前記Ｕ字状の外周面のうちの一対の直線状の面と交差する方向）の寸法は、上記のような膨出した状態になっていないから、第１押圧具の第１嵌合凹部や第２押圧具の第２嵌合凹部にゴムブッシュを円滑に嵌合させることができて、嵌合できなくなる不具合を回避することができる。
【００１４】
本発明において、外周面が前記突曲面から成り、かつ、前記ゴムブッシュの両フランジ間に位置する前記ゴムブッシュの突曲部を周方向に複数の突曲部分に区分けし、前記周方向で中央に位置する突曲部分が、目標とする製品寸法よりも径方向外方側に設定量膨出した状態になるように前記ゴムブッシュを加硫成形すると、上記（Ａ２）と同様の作用を奏することができる。
【００１５】
本発明において、外周面が前記突曲面から成り、かつ、前記ゴムブッシュの両フランジ間に位置する前記ゴムブッシュの突曲部を周方向に複数の突曲部分に区分けし、前記周方向で中央に位置する突曲部分以外の各突曲部分が、目標とする製品寸法よりも径方向外方側に設定量膨出した状態になるように前記ゴムブッシュを加硫成形すると、上記（Ａ２）と同様の作用を奏することができ、さらに次の（Ｂ）の作用を奏することができる。
【００１６】
（Ｂ）第１押圧具と第２押圧具でゴムブッシュを挟圧したときに、その挟圧方向に対して傾斜した方向（各突曲部分が膨出した方向）の挟圧力を強くすることができ、ゴムブッシュとスタビライザーバーとの周方向で両者の接着力を均一化しやすくなって両者の接着性をよくすることができる。
【００１７】
本発明において、前記ゴムブッシュの中空孔を挟んで前記突曲部とは反対側のゴムブッシュ部分に金属製又は樹脂製のインサート材が埋設され、前記中空孔側を向く前記インサート材の面が、前記中空孔の周方向に沿う円弧状の曲面になるように前記ゴムブッシュを加硫成形すると、上記（Ａ２）と同様の作用を奏することができ、さらに次の（Ｃ）の作用を奏することができる。
【００１８】
（Ｃ）  第１押圧具と第２押圧具でゴムブッシュを挟圧したときに、第１押圧具とインサート材とが、これらの間のゴムブッシュ部分を圧縮する。この場合、前記円弧状の曲面の周方向両端部が前記ゴムブッシュ部分を受止めて、ゴムブッシュ部分がゴムブッシュの幅方向外方側に膨出するのを阻止する。これにより、ゴムブッシュ部分に加わる圧縮力が逃げるのを抑制することができる。そして、中空孔側を向くインサート材の面が、中空孔の周方向に沿う円弧状の曲面になっていることで、第１押圧具と第２押圧具による挟圧力が前記曲面に直交する方向の力としてゴムブッシュ部分に加わる。その結果、ゴムブッシュとスタビライザーバーとの圧接力を、両者の周方向で均一化しやすくすることができ、両者の周方向で両者の接着力を均一化しやすくなって両者の接着性をよくすることができる。また、Ｕ字状のゴムブッシュ受けを備えたクランプでゴムブッシュを車体側に押圧固定して、ゴムブッシュの扁平面を車体の取付け面に圧接させたときに、クランプとインサート材とが、これらの間のゴムブッシュ部分を圧縮する。この場合、前記円弧状の曲面の周方向両端部が前記ゴムブッシュ部分を受止めて、ゴムブッシュ部分がゴムブッシュの幅方向外方側に膨出するのを阻止する。これにより、ゴムブッシュ部分に加わる圧縮力が逃げるのを抑制することができ、ゴムブッシュを車体の取付け面に所望の通りの力で圧接させることができて、車体に対する固定状態を安定化できる。
【００１９】
本発明において、前記中空孔とは反対側を向く前記インサート材の面が露出するように前記ゴムブッシュを加硫成形すると、前記インサート材の面が車体の取付け面に直接圧接するので、圧接力が吸収されるのを抑制して、ゴムブッシュを車体の取付け面に所望の通りの力で圧接させやすくすることができ、車体に対する固定状態を安定化できる。
【００２０】
本発明において、前記ゴムブッシュの幅方向に沿う方向のインサート材の長さが前記中空孔の径よりも長くなるように前記ゴムブッシュを加硫成形すると、前記円弧状の曲面の周方向の両端部が前記ゴムブッシュ部分を受止めやすくなり、ゴムブッシュ部分がゴムブッシュの幅方向外方側に膨出するのをより阻止しやすくすることができる。
【発明の効果】
【００２１】
本発明によれば、異音を防止できる構造でありながら、製作コストを低廉化できるとともに、ゴムブッシュをスタビライザーバーに強く固定できて耐久性に優れたゴムブッシュ付きスタビライザーバーを製造できる方法を提供することができた。
【発明を実施するための最良の形態】
【００２２】
以下、本発明の実施の形態を図面に基づいて説明する。図１に、自動車のサスペンションと車体側のメンバとに取付けられるゴムブッシュ付きスタビライザーバーを示してある。このゴムブッシュ付きスタビライザーバーは、表面が塗装がされた金属丸棒状のスタビライザーバー１と、スタビライザーバー１の被嵌合部２に外嵌固定されたゴムブッシュ３とから成る。
【００２３】
ゴムブッシュ３は、Ｕ字状の外周面４と、このＵ字状の外周面４の両端に連続する直線状の扁平面５とを備えた筒状に形成され、ゴムブッシュ３の軸方向Ｚの両端部に、前記Ｕ字状の外周面４の全周にわたるフランジ６がそれぞれ形成されている。そしてゴムブッシュ３に、径方向及び軸方向に沿う装着用の切断部７が形成されている。
【００２４】
上記のゴムブッシュ３をクランプ８で車体側に押圧固定して、ゴムブッシュ３の扁平面５を車体の取付け面に圧接させる。クランプ８は、ゴムブッシュ３の両フランジ６間のＵ字状の外周面部分をややきつく内嵌させるＵ字状のゴムブッシュ受け９と、このゴムブッシュ受け９の開放した両端から横外方側に張出す取付け片１０とから成る。取付け片１０にはボルト挿通孔１１が形成されている。
【００２５】
ゴムブッシュ付きスタビライザーバーの製造方法は次の通りである。すなわち、
スタビライザーバー１の外周面１Ｃをカチオン電着塗装や粉体塗装により塗装する。その後、スタビライザーバー１の被嵌合部２の塗装膜面に熱硬化性エポキシ系接着剤（熱硬化性接着剤の一例）を塗布する。このように、熱硬化性エポキシ系接着剤を塗布する工程の前にスタビライザーバー１の外周面１Ｃを塗装しておく。そして、加硫成形したゴムブッシュ３の切断部７を開放してゴムブッシュ３を被嵌合部２に外嵌する。次に、図６に示すように、Ｕ字状の外周面４のうちの突曲面１２に第１押圧具１３の第１嵌合凹部１４を外嵌するとともに、前記扁平面５と、Ｕ字状の外周面４のうちの直線状の面１５とに第２押圧具１６の第２嵌合凹部１７を外嵌する。そして図７に示すように、第１押圧具１３と第２押圧具１６でゴムブッシュ３を挟圧してゴムブッシュ３を５％〜１０％圧縮した状態でゴムブッシュ３を加熱し、第１押圧具１３と第２押圧具１６を取外してゴムブッシュ付きスタビライザーバーを得る。ゴムブッシュ３に対する加熱温度は１２０℃〜２００℃、加熱時間は１５分〜６０分である。
【００２６】
詳述すると、図８（ａ），図８（ｂ）に示すように、外周面が前記突曲面１２から成り、かつ、両フランジ６間に位置するゴムブッシュ３の第１の突曲部３７が、目標とする製品寸法（の突曲部）よりも径方向外方側に設定量だけ膨出した状態になるようにゴムブッシュ３を加硫成形しておく。図８（ｂ）において一点鎖線Ａは製品寸法の第１の突曲部３７の突曲面を表す。加熱前の前記突曲面１２は、製品寸法の第１の突曲部３７の突曲面Ａに対応したなだらかな円弧状の曲面になっている。このように加硫成形したゴムブッシュ３を第１押圧具１３と第２押圧具１６で挟圧した状態で加熱するから、第１の突曲部３７に熱によるへたり（収縮）が生じても第１の突曲部３７を製品寸法通りに形成しやすくなる。つまり、前記設定量は第１の突曲部３７のへたりを考慮した量であり、へたりで収縮する量である。ゴムブッシュ３の中空孔３８の中心は、第１の突曲部３７と後述の角ブロック部２６との境界よりも少し角ブロック部２６側に位置している。
【００２７】
図２，図３，図４に示すように第１押圧具１３は、ゴムブッシュ３の第１の突曲部３７及び第２の突曲部５０（図８参照）を収容する断面Ｕ字状の第１収容部１８と、この第１収容部１８の開放した両端から横外方側に張出す一対の第１取付け板１９とから成る。前記第２の突曲部５０は、ゴムブッシュ３の両フランジ６と、両フランジ６の径方向内方側のゴムブッシュ部分とのうち、外周面が前記突曲面１２から成る一対のゴムブッシュ部分（つまり、第１の突曲部３７の両側の一対のゴムブッシュ部分）である。第１収容部１８に前記第１嵌合凹部１４が形成されている。
【００２８】
第１嵌合凹部１４は第１の突曲部３７及び第２の突曲部５０に外嵌する。この第１嵌合凹部１４に、ゴムブッシュ３の第２の突曲部５０側のフランジ部分を各別に収容する一対のフランジ受け２０が形成されている。そして、第１取付け板１９に一対の貫通孔２１が形成され、第１押圧具１３の軸方向の両端部に、第１の突曲部３７と第２の突曲部５０とから成るゴムブッシュ部分の軸方向の両端面２２Ａ，２２Ｂを覆う一対の第１側壁２３Ａ，２３Ｂが各別に形成され、各第１側壁２３Ａ，２３Ｂに、スタビライザーバー１を受け入れる半円形の凹部２５が形成されている。
【００２９】
図２，図３，図５に示すように第２押圧具１６は、ゴムブッシュ３の角ブロック部２６を収容する断面コの字状の第２収容部２８と、この第２収容部２８の開放した両端から横外方側に張出す一対の第２取付け板２９とから成る。角ブロック部２６は、外周面が、前記扁平面５と、Ｕ字状の外周面４のうちの直線状の面１５（両フランジ６の直線状の面も含む）とから成るゴムブッシュ部分である（図８参照）。第２収容部２８に前記第２嵌合凹部１７が形成されている。
【００３０】
第２嵌合凹部１７は角ブロック部２６に外嵌する。この第２嵌合凹部１７に、ゴムブッシュ３の角ブロック部２６側のフランジ部分を各別に収容する一対のフランジ受け２０が形成されている。また、第１取付け板１９の一対の貫通孔２１に各別に入り込む一対のピン３０が第２取付け板２９に突設されている。そして、第２押圧具１６の軸方向の両端部に、角ブロック部２６の軸方向の両端面３１Ａ，３１Ｂを覆う一対の第２側壁３２Ａ，３２Ｂが各別に形成され、各第２側壁３２Ａ，３２Ｂに、スタビライザーバー１を受け入れる半円形の凹部３３が形成されている。
【００３１】
図８に示すように、第１の突曲部３７と第２の突曲部５０から成るゴムブッシュ部分の軸方向の一端面２２Ａと、角ブロック部２６の軸方向の一端面３１Ａとでゴムブッシュ３の一端面５５を構成している。また、第１の突曲部３７と第２の突曲部５０から成るゴムブッシュ部分の軸方向の他端面２２Ｂと、角ブロック部２６の軸方向の他端面３１Ｂとでゴムブッシュ３の他端面５６を構成している。
【００３２】
図７に示すように、第１押圧具１３と第２押圧具１６とでゴムブッシュ３を挟圧した状態で、第２押圧具１６の一対のピン３０が第１押圧具１３の一対の貫通孔２１に各別に入り込む。そして、第１嵌合凹部１４と第２嵌合凹部１７でゴムブッシュ３のほぼ全面が覆われた状態になる。第１嵌合凹部１４と第２嵌合凹部１７でゴムブッシュ３のほぼ全面を覆った状態にする手段として次の手段を採用している。つまり、ゴムブッシュ３の軸方向Ｚの両端部に形成されたフランジ６を、第１嵌合凹部１４と第２嵌合凹部１７に一対づつ形成したフランジ受け２０に収容し、ゴムブッシュ３の軸方向の一端面５５を、第１押圧具１３に形成した一対の第１側壁２３Ａ，２３Ｂ（図３参照）のうちの一方の第１側壁２３Ａと、第２押圧具１６に形成した一対の第２側壁３２Ａ，３２Ｂのうちの一方の第２側壁３２Ａとで覆い、ゴムブッシュ３の軸方向の他端面５６を、一対の第１側壁２３Ａ，２３Ｂのうちの他方の第１側壁２３Ｂと、一対の第２側壁３２Ａ，３２Ｂのうちの他方の第２側壁３２Ｂとで覆う。
【００３３】
［別実施形態］
（１）図９（ａ），図９（ｂ）に示すように、前記ゴムブッシュ３の第1の突曲部３７を周方向に複数（本実施形態では３個）の突曲部分３７Ａ，３７Ｂ，３７Ｃに区分けし、前記周方向で中央に位置する突曲部分３７Ｂが、目標とする製品寸法よりも径方向外方側に設定量膨出した状態になるようにゴムブッシュ３を加硫成形してもよい。
【００３４】
（２）図１０（ａ），図１０（ｂ）に示すように、前記ゴムブッシュ３の第1の突曲部３７を周方向に複数（本実施形態では３個）の突曲部分３７Ａ，３７Ｂ，３７Ｃに区分けし、前記周方向で中央に位置する突曲部分３７Ｂ以外の各突曲部分３７Ａ，３７Ｃが、目標とする製品寸法よりも径方向外方側に設定量膨出した状態になるようにゴムブッシュ３を加硫成形してもよい。
【００３５】
（３）図８（ａ），図８（ｂ）に示すゴムブッシュの第１実施形態において、図１１（ａ），図１１（ｂ）に示すように、前記ゴムブッシュ３の中空孔３８を挟んで第1の突曲部３７とは反対側のゴムブッシュ部分３９（前記角ブロック部２６の一部分）に金属製又は樹脂製のインサート材４０が埋設され、中空孔３８側を向くインサート材４０の第１面４１が、中空孔３８の周方向に沿う円弧状の曲面になるようにゴムブッシュ３を加硫成形してもよい。中空孔３８とは反対側を向くインサート材４０の第２面４２はゴムブッシュ部分３９からはみだして露出している。
【００３６】
そして、ゴムブッシュ３の幅方向に沿う方向のインサート材４０の長さＣは中空孔３８の径よりも長く設定され、ゴムブッシュ３の軸方向Ｚにおけるインサート材４０の長さＤはゴムブッシュ３の両フランジ６間の長さとほぼ同一に設定され、インサート材４０の第１面４１と中空孔３８の内周面５１との間の長さは、第１押圧具１３と第２押圧具１６に取り付けられる前のゴムブッシュ３の第１の突曲部３７の突曲面１２と中空孔３８の内周面５１との間の長さとほぼ同一に設定されている。
【００３７】
（４）図１２（ａ），図１２（ｂ）に示すように、ゴムブッシュ３の軸方向Ｚで第1の突曲部３７の中央部だけが、目標とする製品寸法よりも径方向外方側に設定量だけ膨出した状態になるようにゴムブッシュ３を加硫成形してもよい。
【００３８】
（５）上記（３）の構造（インサート材４０を埋設した構造）を、図９（ａ），図９（ｂ）に示す実施形態と、図１０（ａ），図１０（ｂ）に示す実施形態と、図１２（ａ），図１２（ｂ）に示すに示す実施形態とで採用してもよい。
【００３９】
（６）上記の実施形態で挙げた数値は一例であり、別の数値であってもよい。例えば、前記ゴムブッシュ３の突曲部３７を周方向に４個以上に区分けしてもよい。
【００４０】
（７）上記の実施形態では前記熱硬化性接着剤を塗布する工程の前にスタビライザーバー１の外周面１Ｃを塗装したが、熱硬化性接着剤を塗布する工程の前にスタビライザーバー１の外周面１Ｃを塗装してなくてもよい。すなわち、塗装されていないスタビライザーバー１の被嵌合部２に熱硬化性エポキシ系接着剤を塗布してもよい。
【００４１】
（８）前記スタビライザーバー１の被嵌合部２と、加硫成形したゴムブッシュ３の内周面５１（中空孔３８の内周面５１）とのいずれにも熱硬化性接着剤を塗布してもよい。また、被嵌合部２に熱硬化性接着剤を塗布することなく、ゴムブッシュ３の内周面５１側だけに熱硬化性接着剤を塗布するようにしてもよい。
【図面の簡単な説明】
【００４２】
【図１】ゴムブッシュ付きスタビライザーバーとクランプの斜視図
【図２】第１押圧具と第２押圧具の正面図
【図３】第１押圧具と第２押圧具の側面図
【図４】第１押圧具の平面図
【図５】第２押圧具の底面図
【図６】ゴムブッシュを第１押圧具と第２押圧具に嵌合する状態を示す図
【図７】ゴムブッシュを第１押圧具と第２押圧具で挟圧した状態を示す図
【図８】（ａ）はゴムブッシュの側面図、（ｂ）はゴムブッシュの正面図
【図９】（ａ）は第２の実施形態のゴムブッシュの側面図、（ｂ）は第２の実施形態のゴムブッシュの正面図
【図１０】（ａ）は第３の実施形態のゴムブッシュの側面図、（ｂ）は第３の実施形態のゴムブッシュの正面図
【図１１】（ａ）は第４の実施形態のゴムブッシュの側面図、（ｂ）は第４の実施形態のゴムブッシュの正面図
【図１２】（ａ）は第５の実施形態のゴムブッシュの側面図、（ｂ）は第５の実施形態のゴムブッシュの正面図
【符号の説明】
【００４３】
１……スタビライザーバー、１Ｃ……スタビライザーバーの外周面、２……被嵌合部、３……ゴムブッシュ、４……Ｕ字状の外周面、５……扁平面、６……フランジ、１２……Ｕ字状の外周面のうちの突曲面、１３……第１押圧具、１４……第１嵌合凹部、１５……Ｕ字状の外周面のうちの直線状の面、１６……第２押圧具、１７……第２嵌合凹部、２０……フランジ受け、５５……ゴムブッシュの軸方向の一端面、５６……ゴムブッシュの軸方向の他端面、２３Ａ……第１側壁（一方の第１側壁）、２３Ｂ……第１側壁（他方の第１側壁）、３２Ａ……第２側壁（一方の第２側壁）、３２Ｂ……第２側壁（他方の第２側壁）、３７……突曲部、３７Ａ，３７Ｂ，３７Ｃ……突曲部分、３８……中空孔、３９……ゴムブッシュ部分、４０……インサート材、４１……中空孔側を向くインサート材の面（インサート材の第１面）、４２……中空孔とは反対側を向くインサート材の面（インサート材の第２面）、５１……ゴムブッシュの内周面、Ｃ……ゴムブッシュの幅方向に沿う方向のインサート材の長さ、Ｚ……ゴムブッシュの軸方向
【図１】
2006118561.tif 000003
【図２】
2006118561.tif 000004
【図３】
2006118561.tif 000005
【図４】
2006118561.tif 000006
【図５】
2006118561.tif 000007
【図６】
2006118561.tif 000008
【図７】
2006118561.tif 000009
【図８】
2006118561.tif 000010
【図９】
2006118561.tif 000011
【図１０】
2006118561.tif 000012
【図１１】
2006118561.tif 000013
【図１２】
2006118561.tif 000014